(57)【要約】【課題】表示画像が示す目的の画像状態を対象画像の画像データに対する画像処理で実現できるようにする。【解決手段】画像データ取得部１０は、画像処理の対象となる対象画像の画像データを取得する。スキャン処理部２０は、対象画像に関する目的の画像状態を示した表示画像のスキャンデータを取得する。解析処理部３０は、スキャンデータを解析することにより、目的の画像状態に応じた画像処理を決定する。画像処理部４０は、対象画像の画像データに対して目的の画像状態に応じた画像処理を実行する。【選択図】図１
2020145632.tif 000002
【特許請求の範囲】
【請求項１】
画像処理の対象となる対象画像の画像データを取得する手段と、
目的の画像状態を示した表示画像を取得する手段と、
取得された前記表示画像から、前記目的の画像状態に応じた画像処理を、前記対象画像の画像データに対して実行する手段と、
を有する、
ことを特徴とする画像処理装置。
【請求項２】
請求項１に記載の画像処理装置において、
前記対象画像内の一部である部分画像を示した表示画像を取得し、前記対象画像の画像データから前記部分画像に対応した画像を形成する画像処理を実行する、
ことを特徴とする画像処理装置。
【請求項３】
請求項２に記載の画像処理装置において、
前記部分画像を拡大表示した表示画像を取得し、前記対象画像の画像データから、拡大表示された前記部分画像に対応した画像を形成する、
ことを特徴とする画像処理装置。
【請求項４】
請求項２または３に記載の画像処理装置において、
前記対象画像の画像データから前記部分画像を形成して当該部分画像を拡大または縮小する画像処理を実行する、
ことを特徴とする画像処理装置。
【請求項５】
請求項１から４のいずれか１項に記載の画像処理装置において、
複数ページで構成される前記対象画像内の少なくとも一部のページを示した表示画像を取得し、前記対象画像の画像データから前記少なくとも一部のページに対応した画像を形成する画像処理を実行する、
ことを特徴とする画像処理装置。
【請求項６】
請求項５に記載の画像処理装置において、
前記対象画像内の少なくとも一部であるＮ枚（Ｎは自然数）のページを示した表示画像を取得し、前記対象画像の画像データから前記Ｎ枚のページに対応したＮ個の画像を１枚のページに示した集約画像を形成する、
ことを特徴とする画像処理装置。
【請求項７】
請求項６に記載の画像処理装置において、
前記Ｎ枚のページに対応した複数のデータを取得して前記対象画像の画像データから前記集約画像を形成する、
ことを特徴とする画像処理装置。
【請求項８】
請求項１から７のいずれか１項に記載の画像処理装置において、
前記表示画像内における前記対象画像の配置に係る情報を得ることにより、当該表示画像内における配置に倣って、前記対象画像の画像データに対して画像処理を実行した出力画像を形成する、
ことを特徴とする画像処理装置。
【請求項９】
請求項８に記載の画像処理装置において、
前記表示画像内における前記対象画像の位置に対応した前記出力画像内の位置に、前記画像データから形成される前記対象画像を配置する、
ことを特徴とする画像処理装置。
【請求項１０】
請求項８または９に記載の画像処理装置において、
前記表示画像内における前記対象画像の回転角度で、前記画像データから形成される前記対象画像を回転させて、当該対象画像を前記出力画像内に配置する、
ことを特徴とする画像処理装置。
【請求項１１】
請求項１から１０のいずれか１項に記載の画像処理装置において、
前記表示画像内における前記対象画像の画質に係る情報を得ることにより、前記対象画像の画像データに対して当該表示画像内における画質への補正処理を実行する、
ことを特徴とする画像処理装置。
【請求項１２】
請求項１から１１のいずれか１項に記載の画像処理装置において、
前記表示画像に示される画像処理の指示情報を得ることにより、前記対象画像の画像データに対して前記指示情報によって指定された画像処理を実行する、
ことを特徴とする画像処理装置。
【請求項１３】
請求項１２に記載の画像処理装置において、
前記指示情報として１つ以上のフィニッシング処理に対応したマーカを含んだ表示画像を取得し、前記マーカに対応したフィニッシング処理を特定して、前記対象画像の画像データから得られる出力画像に対して前記特定されたフィニッシング処理を実行する、
ことを特徴とする画像処理装置。
【請求項１４】
請求項１２または１３に記載の画像処理装置において、
前記指示情報としてウォーターマークを指定する情報を含んだ表示画像を取得し、前記対象画像の画像データに対して前記指示情報によって指定されたウォーターマークを付加する画像処理を実行する、
ことを特徴とする画像処理装置。
【請求項１５】
情報端末装置と画像処理装置を備えた画像処理システムであって、
前記情報端末装置は、
目的の画像状態を示した表示画像を表示する手段を有し、
前記画像処理装置は、
対象画像の画像データを取得する手段と、
前記情報端末装置に表示される前記表示画像を取得する手段と、
取得された前記表示画像から、前記目的の画像状態に応じた画像処理を、前記対象画像の画像データに対して実行する手段と、
を有する、
ことを特徴とする画像処理システム。
【請求項１６】
コンピュータを、
画像処理の対象となる対象画像の画像データを取得する手段、
目的の画像状態を示した表示画像を取得する手段、
取得された前記表示画像から、前記目的の画像状態に応じた画像処理を、前記対象画像の画像データに対して実行する手段、
として機能させるプログラム。
【発明の詳細な説明】
【技術分野】
【０００１】
本発明は、画像処理装置、画像処理システムおよびプログラムに関する。
【背景技術】
【０００２】
特許文献１には、原稿台に載置された通常の対象物を読み取る第１モードと、原稿台に載置された自発光する対象物を読み取る第２モードを有するスキャナ装置が記載されている。特許文献１のスキャナ装置は、原稿台に載置された対象物の光を検出し、その検出結果に基づいて、読み取りモードを第１モードまたは第２モードに切り替えている。
【０００３】
また、特許文献２には、原稿を搬送しつつ読み取り定位置で読み取るシートスルー方式の画像読み取り装置を前提とした情報端末装置が記載されている。特許文献２では、画像読み取り装置の読み取り定位置に情報端末装置の表示画面を配置し、情報端末装置により表示画面のコンテンツをスクロール表示させ、画像読み取り装置により表示画面のコンテンツを読み取らせ、画像形成装置によりコンテンツを記録用紙に記録することを可能としている。
【０００４】
また、特許文献３には、電子ブック端末およびコピー機にそれぞれ通信インターフェースを備えて相互通信を可能とし、コピー機の制御部がスキャナによって表示部に表示されている画像を読み取った後に電子ブック端末にページ表示要求を通知し、電子ブック端末の制御部は、ページ表示要求の通知を受けると、表示部に表示する画像のページめくりを行った後にコピー機にページ表示完了を通知する画像処理システムが記載されている。
【先行技術文献】
【特許文献】
【０００５】
【特許文献１】特開２０１４−１１６９０７号公報
【特許文献２】特開２０１２−０９３９０３号公報
【特許文献３】特開２００６−２５４２２４号公報
【発明の概要】
【発明が解決しようとする課題】
【０００６】
特許文献１から３に記載されるように、例えば表示デバイスや用紙などに表示された表示画像をスキャナ装置などにより読み取る技術が従来から知られている。例えば、表示画像が示す対象画像の画像状態をそのまま実現したければ、スキャナ装置などにより表示画像を読み取ることにより得られるスキャンデータから画像を形成すればよい。
【０００７】
ところが、例えば、対象画像を示した表示画像のスキャンデータに対する画像処理で得られる処理結果は、その対象画像の画像データ（例えば表示画像の形成に利用された当初の画像データ）に対する画像処理で得られる処理結果に比べて、画質などが劣化してしまう可能性がある。
【０００８】
本発明の目的は、表示画像が示す目的の画像状態を対象画像の画像データに対する画像処理で実現できるようにすることにある。
【課題を解決するための手段】
【０００９】
請求項１に係る発明は、画像処理の対象となる対象画像の画像データを取得する手段と、目的の画像状態を示した表示画像を取得する手段と、取得された前記表示画像から、前記目的の画像状態に応じた画像処理を、前記対象画像の画像データに対して実行する手段と、を有することを特徴とする画像処理装置である。
【００１０】
請求項２に係る発明は、請求項１に記載の画像処理装置において、前記対象画像内の一部である部分画像を示した表示画像を取得し、前記対象画像の画像データから前記部分画像に対応した画像を形成する画像処理を実行することを特徴とする画像処理装置である。
【００１１】
請求項３に係る発明は、請求項２に記載の画像処理装置において、前記部分画像を拡大表示した表示画像を取得し、前記対象画像の画像データから、拡大表示された前記部分画像に対応した画像を形成することを特徴とする画像処理装置である。
【００１２】
請求項４に係る発明は、請求項２または３に記載の画像処理装置において、前記対象画像の画像データから前記部分画像を形成して当該部分画像を拡大または縮小する画像処理を実行することを特徴とする画像処理装置である。
【００１３】
請求項５に係る発明は、請求項１から４のいずれか１項に記載の画像処理装置において、複数ページで構成される前記対象画像内の少なくとも一部のページを示した表示画像を取得し、前記対象画像の画像データから前記少なくとも一部のページに対応した画像を形成する画像処理を実行することを特徴とする画像処理装置である。
【００１４】
請求項６に係る発明は、請求項５に記載の画像処理装置において、前記対象画像内の少なくとも一部であるＮ枚（Ｎは自然数）のページを示した表示画像を取得し、前記対象画像の画像データから前記Ｎ枚のページに対応したＮ個の画像を１枚のページに示した集約画像を形成することを特徴とする画像処理装置である。
【００１５】
請求項７に係る発明は、請求項６に記載の画像処理装置において、前記Ｎ枚のページに対応した複数のデータを取得して前記対象画像の画像データから前記集約画像を形成することを特徴とする画像処理装置である。
【００１６】
請求項８に係る発明は、請求項１から７のいずれか１項に記載の画像処理装置において、前記表示画像内における前記対象画像の配置に係る情報を得ることにより、当該表示画像内における配置に倣って、前記対象画像の画像データに対して画像処理を実行した出力画像を形成することを特徴とする画像処理装置である。
【００１７】
請求項９に係る発明は、請求項８に記載の画像処理装置において、前記表示画像内における前記対象画像の位置に対応した前記出力画像内の位置に、前記画像データから形成される前記対象画像を配置することを特徴とする画像処理装置である。
【００１８】
請求項１０に係る発明は、請求項８または９に記載の画像処理装置において、前記表示画像内における前記対象画像の回転角度で、前記画像データから形成される前記対象画像を回転させて、当該対象画像を前記出力画像内に配置することを特徴とする画像処理装置である。
【００１９】
請求項１１に係る発明は、請求項１から１０のいずれか１項に記載の画像処理装置において、前記表示画像内における前記対象画像の画質に係る情報を得ることにより、前記対象画像の画像データに対して当該表示画像内における画質への補正処理を実行することを特徴とする画像処理装置である。
【００２０】
請求項１２に係る発明は、請求項１から１１のいずれか１項に記載の画像処理装置において、前記表示画像に示される画像処理の指示情報を得ることにより、前記対象画像の画像データに対して前記指示情報によって指定された画像処理を実行することを特徴とする画像処理装置である。
【００２１】
請求項１３に係る発明は、請求項１２に記載の画像処理装置において、前記指示情報として１つ以上のフィニッシング処理に対応したマーカを含んだ表示画像を取得し、前記マーカに対応したフィニッシング処理を特定して、前記対象画像の画像データから得られる出力画像に対して前記特定されたフィニッシング処理を実行することを特徴とする画像処理装置である。
【００２２】
請求項１４に係る発明は、請求項１２または１３に記載の画像処理装置において、前記指示情報としてウォーターマークを指定する情報を含んだ表示画像を取得し、前記対象画像の画像データに対して前記指示情報によって指定されたウォーターマークを付加する画像処理を実行することを特徴とする画像処理装置である。
【００２３】
請求項１５に係る発明は、情報端末装置と画像処理装置を備えた画像処理システムであって、前記情報端末装置は、目的の画像状態を示した表示画像を表示する手段を有し、前記画像処理装置は、対象画像の画像データを取得する手段と、前記情報端末装置に表示される前記表示画像を取得する手段と、取得された前記表示画像から、前記目的の画像状態に応じた画像処理を、前記対象画像の画像データに対して実行する手段と、を有することを特徴とする画像処理システムである。
【００２４】
請求項１６に係る発明は、コンピュータを、画像処理の対象となる対象画像の画像データを取得する手段、目的の画像状態を示した表示画像を取得する手段、取得された前記表示画像から、前記目的の画像状態に応じた画像処理を、前記対象画像の画像データに対して実行する手段、として機能させるプログラムである。
【発明の効果】
【００２５】
請求項１に係る発明により、表示画像が示す目的の画像状態を対象画像の画像データに対する画像処理で実現できる。
【００２６】
請求項２に係る発明により、表示画像が示す対象画像内の部分画像を当該対象画像の画像データから形成することができる。
【００２７】
請求項３に係る発明により、対象画像内の拡大表示された部分画像を当該対象画像の画像データから形成することができる。
【００２８】
請求項４に係る発明により、表示画像が示す対象画像内の部分画像を拡大または縮小した画像を当該対象画像の画像データから形成することができる。
【００２９】
請求項５に係る発明により、表示画像が示す対象画像内の少なくとも一部のページに対応した画像を当該対象画像の画像データから形成することができる。
【００３０】
請求項６に係る発明により、表示画像が示す対象画像内のＮ枚のページに対応した集約画像を当該対象画像の画像データから形成することができる。
【００３１】
請求項７に係る発明により、対象画像内のＮ枚のページに対応したデータが複数に分かれていても、当該対象画像の画像データから集約画像を形成することができる。
【００３２】
請求項８に係る発明により、対象画像の画像データを利用して形成される出力画像内に表示画像が示す配置に倣って対象画像を配置することができる。
【００３３】
請求項９に係る発明により、対象画像の画像データを利用して形成される出力画像内で表示画像が示す位置に対象画像を配置することができる。
【００３４】
請求項１０に係る発明により、対象画像の画像データを利用して形成される出力画像内に、表示画像が示す回転角度で回転させた対象画像を配置することができる。
【００３５】
請求項１１に係る発明により、表示画像内における画質に対応した対象画像を当該対象画像の画像データから得ることができる。
【００３６】
請求項１２に係る発明により、対象画像の画像データに対する画像処理を表示画像で指定することができる。
【００３７】
請求項１３に係る発明により、対象画像の画像データから得られる出力画像に対するフィニッシング処理を表示画像に含まれるマーカで指定することができる。
【００３８】
請求項１４に係る発明により、対象画像の画像データに付加するウォーターマークを表示画像で指定することができる。
【００３９】
請求項１５に係る発明により、情報端末装置に表示される表示画像が示す目的の画像状態を対象画像の画像データに対する画像処理で実現する画像処理システムが提供される。
【００４０】
請求項１６に係る発明により、表示画像が示す目的の画像状態を対象画像の画像データに対する画像処理で実現するプログラムが提供される。
【図面の簡単な説明】
【００４１】
【図１】画像処理システムの具体例を示す図である。
【図２】図１の画像処理システムによる画像処理の具体例を示す図である。
【図３】対象画像に対する画像処理の基本となる具体例を示す図である。
【図４】対象画像の一部である部分画像に対する画像処理の具体例を示す図である。
【図５】複数ページの対象画像に対する画像処理の具体例を示す図である。
【図６】対象画像の配置に係る画像処理の具体例を示す図である。
【図７】対象画像に関する画質補正の具体例を示す図である。
【図８】フィニッシング処理を含む画像処理の具体例を示す図である。
【図９】ウォーターマークを付加する画像処理の具体例を示す図である。
【発明を実施するための形態】
【００４２】
図１は、本発明の具体的な実施態様の一例を示す図である。図１には、画像処理装置１００と情報端末装置２００を備えた画像処理システムの具体例が図示されている。図１に示す具体例において、画像処理装置１００と情報端末装置２００は、例えば無線通信と有線通信の少なくとも一方を利用した通信回線３００を介して互いに接続されてデータ（情報）を遣り取りする。なお、図１に示す具体例のように、情報処理装置２１０が通信回線３００を介して画像処理装置１００とデータを遣り取りするようにしてもよい。
【００４３】
図１に示す具体例において、画像処理装置１００は、画像データ取得部１０とスキャン処理部２０と解析処理部３０と画像処理部４０を備えている。また、図１に例示するように、画像処理装置１００は、データ記憶部１２と画像出力部４２を備えていてもよい。
【００４４】
画像データ取得部１０は、画像処理の対象となる対象画像の画像データを取得する。画像データ取得部１０は、例えば、通信回線３００を介して情報端末装置２００または情報処理装置２１０から対象画像の画像データを取得してもよい。また、画像データ取得部１０によって取得された画像データはデータ記憶部１２に記憶されてもよい。
【００４５】
スキャン処理部２０は、対象画像に関する目的の画像状態を示した表示画像のスキャンデータを取得する。スキャン処理部２０は、例えば、表示画像を光学的に読み取り、その表示画像のスキャンデータを取得する。スキャン処理部２０は、用紙などの原稿に示される画像（文字や記号のみの画像を含む）をスキャナやデジタルカメラなどで光学的に読み取り、その画像のスキャンデータを取得してもよい。また、スキャン処理部２０は、自発光する表示デバイスなどに表示された画像を光学的に読み取り、その画像のスキャンデータを取得してもよい。
【００４６】
解析処理部３０は、スキャンデータを解析することにより、目的の画像状態に応じた画像処理を決定する。解析処理部３０は、例えば、スキャン処理部２０が取得したスキャンデータを解析する。つまり、解析処理部３０は、対象画像に関する目的の画像状態を示した表示画像のスキャンデータを解析する。これにより、解析処理部３０は、表示画像が示す目的の画像状態に応じた画像処理を決定する。
【００４７】
画像処理部４０は、対象画像の画像データに対して目的の画像状態に応じた画像処理を実行する。画像処理部４０は、例えば、画像データ取得部１０が取得した対象画像の画像データに対して、解析処理部３０が決定した画像処理、つまり、その対象画像に関する目的の画像状態に応じた画像処理を実行する。
【００４８】
画像処理部４０による画像処理で得られた画像は、画像出力部４２から出力されてもよい。例えば、画像出力部４２は、画像処理部４０によって画像処理された画像を用紙などの媒体に印刷して出力してもよい。また、画像出力部４２は、画像処理部４０によって画像処理された画像のデータをデータ記憶部１２に記憶させてもよいし、画像処理装置１００の外部に送信してもよい。
【００４９】
図１に例示する画像処理装置１００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００５０】
そして、例えば、図１に示す画像処理装置１００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、図１に示す画像処理装置１００の少なくとも一部の機能がコンピュータにより実現されてもよい。そのプログラムは、例えば、インターネット等の通信回線を介してコンピュータ（画像処理装置１００）に提供されてもよいし、光ディスクや半導体メモリやカードメモリ等の記憶媒体に記憶されてコンピュータ（画像処理装置１００）に提供されてもよい。
【００５１】
また、図１に例示する画像処理装置１００は、複数の画像出力機能（印刷機能とスキャナ機能とコピー機能とファクシミリ機能などのうちの少なくともいくつかの機能）を備えた複合型の装置であってもよい。例えば、図１の画像処理装置１００が複合型の装置であれば、企業や学校などに設置されてその企業や学校の顧客に利用されてもよいし、コンビニエンスストアなどの店舗に設置されて不特定多数の顧客に利用されてもよい。
【００５２】
図１に示す具体例において、情報端末装置２００と情報処理装置２１０は、図１に示す画像処理システムのユーザが利用するユーザ装置である。情報端末装置２００の具体例には、例えばスマートフォンやタブレット端末などの携帯端末装置が含まれる。また、情報処理装置２１０の具体例には、パーソナルコンピュータなどの装置が含まれる。
【００５３】
図１に例示する画像処理システムの全体構成は以上のとおりである。次に、図１の画像処理システムにより実現される画像処理等の具体例について詳述する。なお、図１に示した構成（部分）については、以下の説明において図１の符号を利用する。
【００５４】
図２は、図１の画像処理システムによる画像処理の具体例を示す図（フローチャート）である。図２に例示するフローチャートが開始されると、まず、ユーザ装置で対象画像が選択される（Ｓ２０１）。例えば、図１の画像処理システムを利用するユーザが情報端末装置２００または情報処理装置２１０に画像を表示して、画像処理の対象となる対象画像を選択する。
【００５５】
次に、対象画像の画像データが送信される（Ｓ２０２）。例えば、Ｓ２０１で対象画像を選択したユーザが、選択した対象画像の画像データを、情報端末装置２００または情報処理装置２１０から通信回線３００を介して、画像処理装置１００へ送信する。送信された対象画像の画像データは画像処理装置１００の画像データ取得部１０によって受信されてデータ記憶部１２に記憶される。
【００５６】
そして、例えば、ユーザが画像処理装置１００から離れた場所で対象画像の画像データを送信する利用形態であれば、画像データの送信後にユーザが画像処理装置１００の設置場所（例えばコンビニエンスストアなどの店舗でもよい）に移動する。なお、ユーザが画像処理装置１００の設置場所で、例えばスマートフォンやタブレット端末などの情報端末装置２００から画像処理装置１００へ対象画像の画像データを送信してもよい。対象画像の画像データは、その画像データを対象とした画像処理装置１００による画像処理が実行される前に、画像処理装置１００に送信される。
【００５７】
対象画像の画像データが送信されると、画像処理装置１００で画像処理が選択される（Ｓ２０３）。例えば、対象画像の画像データを送信したユーザが、画像処理装置１００の操作パネルなどを操作して、その画像処理装置１００による画像処理の機能を選択する。
【００５８】
次に、スキャン設定を利用するか否かが判定される（Ｓ２０４）。例えば、画像処理の機能を選択したユーザが、画像処理装置１００の操作パネルなどを操作して、後述するスキャン設定を利用するか否かを選択する。
【００５９】
スキャン設定を利用する場合には、まず、表示画像のスキャン処理が行われる（Ｓ２０５）。これにより、対象画像に関する目的の画像状態を示した表示画像のスキャンデータが取得される。例えば、ユーザは、対象画像に関する目的の画像状態を示した表示画像を情報端末装置２００の表示デバイスに表示させ、その表示デバイスに表示された表示画像を画像処理装置１００のスキャン処理部２０に読み取らせることにより、スキャン処理が実行される。
【００６０】
なお、対象画像に関する目的の画像状態を示した表示画像は、例えば用紙などの媒体に印刷されていてもよい。表示画像が用紙などに印刷されている場合には、ユーザは、用紙などに示された表示画像を画像処理装置１００のスキャン処理部２０に読み取らせることにより、スキャン処理が実行される。
【００６１】
表示画像のスキャン処理が行われてその表示画像のスキャンデータが取得されると、そのスキャンデータの解析が行われる（Ｓ２０６）。例えば、画像処理装置１００の解析処理部３０が、スキャンデータを解析することにより、目的の画像状態に応じた画像処理を決定する。解析処理部３０は、例えば、スキャン処理部２０が取得したスキャンデータを解析する。つまり、解析処理部３０は、対象画像に関する目的の画像状態を示した表示画像のスキャンデータを解析する。これにより、解析処理部３０は、その目的の画像状態に応じた画像処理を決定する。
【００６２】
続いて、画像処理イメージが表示され（Ｓ２０７）、その画像処理イメージで問題がないか否かが確認される（Ｓ２０８）。例えば、解析処理部３０により決定された画像処理で得られる処理結果の仕上がりイメージを示す画像が画像処理装置１００の表示デバイスなどに表示される。そして、ユーザは、表示された仕上がりイメージで問題がないかどうかを確認し、問題がなければ、例えば画像処理装置１００の操作パネルを操作して画像処理の実行を指示する。
【００６３】
そして、表示された画像処理イメージで問題がないことが確認されると、対象画像の画像データに対する画像処理が実行される（Ｓ２１０）。例えば、画像処理装置１００の画像処理部４０は、画像データ取得部１０が取得した対象画像の画像データに対して、解析処理部３０が決定した画像処理を実行する。これにより、対象画像の画像データに対してその対象画像に関する目的の画像状態に応じた画像処理が実行される。Ｓ２１０における画像処理が終了すると、図２に例示するフローチャートが終了する。
【００６４】
Ｓ２１０では、対象画像を示した表示画像のスキャンデータではなく、その対象画像の画像データ（例えば表示画像の形成に利用された当初の画像データ）を処理対象とした画像処理が実行される。したがって、対象画像を示した表示画像のスキャンデータに対する画像処理で得られる処理結果に比べて、その対象画像の画像データに対する画像処理で得られるＳ２１０の処理結果は、例えば画質などの面で高品質になる。
【００６５】
また、例えば、ユーザが使い慣れた情報端末装置２００を利用して対象画像に関する目的の画像状態を示した表示画像を形成する利用形態であれば、ユーザにとって不慣れな画像処理装置１００を操作して目的の画像状態を設定するよりも、ユーザに強いる操作の負担が軽減されて操作性が向上する。
【００６６】
なお、Ｓ２０４でスキャン設定を利用しない場合には、画像処理装置１００で設定が行われる（Ｓ２０９）。例えば、Ｓ２０４においてスキャン設定を利用しないと判断したユーザが、画像処理装置１００の表示デバイスに表示される対象画像の画像状態を確認しながら、画像処理装置１００の操作パネルなどを操作して、対象画像に関する目的の画像状態が実現されるように、画像処理装置１００の画像処理部４０による画像処理のパラメータなどを設定する。また、Ｓ２０８で仕上がりイメージに問題がある場合にも、画像処理装置１００で設定が行われる（Ｓ２０９）。
【００６７】
Ｓ２０９において画像処理装置１００で設定が行われると、その設定内容に従って対象画像の画像データに対する画像処理が実行される（Ｓ２１０）。例えば、画像処理装置１００の画像処理部４０は、画像データ取得部１０が取得した対象画像の画像データに対して、Ｓ２０９で設定されたパラメータなどに従った画像処理を実行する。
【００６８】
また、図２に例示するフローチャートにおいて、Ｓ２０７の処理とＳ２０８の処理は省略されてもよい。例えば、Ｓ２０５で表示画像のスキャン処理が行われてその表示画像のスキャンデータが取得され、Ｓ２０６でそのスキャンデータの解析が行われた後に、Ｓ２１０で対象画像の画像データに対する画像処理が実行されてもよい。また、対象画像の画像データの送信に先立って表示画像のスキャン処理を実行して、表示画像のスキャン処理の後に対象画像の画像データを送信してもよい。
【００６９】
また、図２に例示するフローチャートのＳ２０５のスキャン処理において、情報端末装置２００の表示デバイスに表示される表示画像のデータ（例えばスキャンデータに相当する低画質データ）が、情報端末装置２００から画像処理装置１００にデータ通信で転送されてもよい。例えば、ＮＦＣ（Near Field Communication）などの近接通信の機能を情報端末装置２００と画像処理装置１００が備えていれば、表示画像のデータが、情報端末装置２００から近接通信により画像処理装置１００へ転送されてもよい。
【００７０】
次に、図１の画像処理システムで実現される画像処理の具体例について説明する。図３から図９には、図１の画像処理システムで実現される画像処理に関するいくつかの具体例が例示されている。図３から図９の各図には、画像処理の対象となる対象画像の画像データの具体例と、対象画像に関する目的の画像状態を示した表示画像の具体例と、対象画像の画像データに対して表示画像が示す目的の画像状態に応じた画像処理を実行して得られる画像処理結果の具体例が図示されている。
【００７１】
図３は、対象画像に対する画像処理の基本となる具体例を示す図である。図３には、画像処理の対象となる対象画像の画像データ３１０の具体例が図示されている。また、図３には、対象画像に関する目的の画像状態として、画像データ３１０の画像内容をそのまま示した表示画像３２０の具体例が示されている。
【００７２】
したがって、対象画像に関する目的の画像状態を示した表示画像のスキャンデータとして、例えば図３に例示する表示画像３２０のスキャンデータが得られている場合には、画像データ３１０に対する表示画像３２０が示す目的の画像状態に応じた画像処理の結果として、画像データ３１０の画像内容をそのまま示した図３に例示する画像処理結果３３０が得られる。
【００７３】
図４は、対象画像内の一部である部分画像に対する画像処理の具体例を示す図である。図４には画像処理の対象となる対象画像の画像データ４１０の具体例が図示されている。また、図４には、対象画像に関する目的の画像状態として、対象画像内の一部である部分画像Ｐを示した表示画像４２１，４２２，４２３の具体例が例示されている。
【００７４】
表示画像４２１は、対象画像内の一部である部分画像Ｐをレイアウト枠（図４の具体例では破線の矩形）で示している。例えば、図４に例示する表示画像４２１のスキャンデータが得られている場合に、画像処理装置１００の画像処理部４０は、画像データ４１０からレイアウト枠内の部分画像Ｐに対応したデータを抽出（例えばトリミング処理）して、部分画像Ｐを形成する画像処理を実行する。
【００７５】
これにより、図４に例示するように、画像データ４１０と表示画像４２１から、例えば画像処理結果４３１が得られてもよいし画像処理結果４３２が得られてもよい。図４に示す具体例において、画像処理結果４３１は、部分画像Ｐの大きさをそのまま（例えば対象画像内での相対的な大きさを維持したまま）で部分画像Ｐのみを示した処理結果である。一方、画像処理結果４３２は、部分画像Ｐの大きさを拡大（例えば対象画像内での相対的な大きさよりも拡大）して部分画像Ｐのみを示した処理結果である。
【００７６】
また、表示画像４２２は、対象画像内の一部である部分画像Ｐをそのままの大きさ（例えば対象画像内での相対的な大きさを維持したまま）で示している。例えば、図４に例示する表示画像４２２のスキャンデータが得られている場合に、画像処理部４０は、画像データ４１０から部分画像Ｐに対応したデータを抽出して部分画像Ｐを形成する画像処理を実行する。これにより、図４に例示するように、画像データ４１０と表示画像４２２から例えば画像処理結果４３１が得られてもよいし画像処理結果４３２が得られてもよい。
【００７７】
また、表示画像４２３は、対象画像内の一部である部分画像Ｐを拡大（例えば対象画像内での相対的な大きさよりも拡大）して示している。例えば、図４に例示する表示画像４２３のスキャンデータが得られている場合にも、画像処理部４０は、画像データ４１０から部分画像Ｐに対応したデータを抽出して部分画像Ｐを形成する画像処理を実行する。これにより、図４に例示するように、画像データ４１０と表示画像４２３から、例えば画像処理結果４３１が得られてもよいし画像処理結果４３２が得られてもよい。
【００７８】
図５は、複数ページで構成される対象画像に対する画像処理の具体例を示す図である。図５には、複数ページで構成される対象画像に関する画像データ５１０の具体例が図示されている。図５には、ページ１からページ４の複数ページで構成された対象画像の画像データ５１０が例示されている。
【００７９】
また、図５には、対象画像に関する目的の画像状態として、複数ページで構成される対象画像内の少なくとも一部のページを示した表示画像５２１，５２２，５２３の具体例が例示されている。
【００８０】
表示画像５２１は、複数ページで構成される対象画像内の少なくとも一部のページを示した表示画像の具体例である。図５に例示する表示画像５２１は、ページ１からページ４で構成される対象画像内の一部のページであるページ３を示している。例えば、図５に例示する表示画像５２１のスキャンデータが得られている場合に、画像処理装置１００の画像処理部４０は、画像データ５１０からページ３に対応したデータを抽出し、ページ３に対応した画像を形成する画像処理を実行する。
【００８１】
これにより、図５に例示するように、画像データ５１０と表示画像５２１から、ページ３に対応した画像を示す画像処理結果５３１が得られる。
【００８２】
また、表示画像５２２は、複数ページで構成される対象画像内の少なくとも一部であるＮ枚（Ｎは自然数）のページを示した表示画像の具体例である。図５に例示する表示画像５２２は、ページ１からページ４で構成される対象画像内のページ１とページ２（ページ範囲１から２）の２枚のページを示している。
【００８３】
例えば、図５に例示する表示画像５２２のスキャンデータが得られている場合に、画像処理部４０は、画像データ５１０からページ１とページ２に対応したデータを抽出し、ページ１とページ２に対応した画像を形成する画像処理を実行する。画像処理部４０は、Ｎ枚（Ｎは自然数）のページに対応したＮ個の画像を１枚のページに示した集約画像を形成してもよい。
【００８４】
例えば、図５に例示するように、画像データ５１０と表示画像５２２から、ページ１の画像とページ２の画像を１枚のページに示した画像処理結果５３２が得られてもよい。なお、画像データ５１０と表示画像５２２から、例えば、ページ１の画像とページ２の画像を別々のページに示した処理結果が得られてもよい。
【００８５】
また、表示画像５２３は、複数ページで構成される対象画像内の少なくとも一部であるＮ枚（Ｎは自然数）のページを示した表示画像の具体例である。図５に例示する表示画像５２３は、ページ１からページ４で構成される対象画像内のページ３を示した表示画像とページ４を示した表示画像の２つの表示画像で構成されている。
【００８６】
画像処理装置１００のスキャン処理部２０は、例えば、図５に例示する表示画像５２３を構成するページ３の表示画像に対するスキャン処理とページ４の表示画像に対するスキャン処理を次々に実行して、ページ３の表示画像に関するスキャンデータとページ４の表示画像に関するスキャンデータを次々に取得してもよい。
【００８７】
さらに、例えば、図５に例示する表示画像５２３のページ３に対応したスキャンデータとページ４に対応したスキャンデータが次々に取得された場合に、画像処理部４０は、画像データ５１０からページ３とページ４に対応したデータを抽出し、ページ３とページ４に対応した画像を形成する画像処理を実行する。画像処理部４０は、Ｎ枚（Ｎは自然数）のページに対応したＮ個の画像を１枚のページに示した集約画像を形成してもよい。
【００８８】
これにより、例えば図５に例示するように、画像データ５１０と表示画像５２３から、ページ３の画像とページ４の画像を１枚のページに示した画像処理結果５３３が得られてもよい。なお、画像データ５１０と表示画像５２３から、例えば、ページ３の画像とページ４の画像を別々のページに示した処理結果が得られてもよい。
【００８９】
図６は、対象画像の配置に係る画像処理の具体例を示す図である。画像処理装置１００は、対象画像に関する目的の画像状態を示した表示画像のスキャンデータを取得し、そのスキャンデータを解析して表示画像内における対象画像の配置に係る情報を得ることにより、表示画像内における配置に倣って、対象画像の画像データを利用して形成される出力画像内に対象画像を配置する画像処理を実行してもよい。
【００９０】
図６には、画像処理の対象となる対象画像の画像データ６１０の具体例が図示されている。また、図６には、対象画像に関する目的の画像状態として、対象画像に関する所望の配置を示した表示画像６２１，６２２の具体例が例示されている。
【００９１】
表示画像６２１は、対象画像が配置される位置を示した表示画像の具体例である。画像処理装置１００の画像処理部４０は、例えば、表示画像内における対象画像の位置に対応した出力画像内の位置に、画像データから形成される対象画像を配置する画像処理を実行してもよい。例えば、図６に例示する表示画像６２１のスキャンデータが得られている場合に、画像処理部４０は、表示画像６２１内における対象画像の位置に対応した出力画像内の位置に、画像データ６１０から形成される対象画像を配置することにより、例えば図６に例示する画像処理結果６３１を得るようにしてもよい。
【００９２】
また、表示画像６２２は、対象画像を回転させて配置した表示画像の具体例である。画像処理部４０は、例えば、表示画像内における対象画像の回転角度で、画像データから形成される対象画像を回転させて、対象画像を出力画像内に配置する画像処理を実行してもよい。例えば、図６に例示する表示画像６２２のスキャンデータが得られている場合に、画像処理部４０は、表示画像６２２内における対象画像の回転角度で、画像データ６１０から形成される対象画像を回転させて、対象画像を出力画像内に配置することにより、例えば図６に例示する画像処理結果６３２を得るようにしてもよい。
【００９３】
ちなみに、図６に例示する表示画像６２２では、対象画像が左回りに９０度回転され、表示画像６２２の左下側の位置に対象画像が配置されている。そして、表示画像６２２内における配置に倣って得られる画像処理結果６３２でも、対象画像が左回りに９０度回転され、出力画像内の左下側の位置に対象画像が配置されている。図６に例示する具体例のように、画像処理部４０は、表示画像６２２内における配置に倣って、対象画像の画像データ６１０を利用して形成される出力画像内に、対象画像の回転角度と位置の両方を調整して配置した画像処理結果６３２を得るようにしてもよい。
【００９４】
図７は、対象画像に関する画質補正の具体例を示す図である。画像処理装置１００は、対象画像に関する目的の画像状態を示した表示画像のスキャンデータを取得し、そのスキャンデータを解析して表示画像内における対象画像の画質に係る情報を得ることにより、対象画像の画像データに対して表示画像内における画質への補正処理を実行してもよい。
【００９５】
図７には、画像処理の対象となる対象画像の画像データ７１０の具体例が図示されている。また、図７には、対象画像に関する目的の画像状態として、対象画像に関する所望の画質を示した表示画像７２０の具体例が例示されている。
【００９６】
例えば、図１の画像処理システムを利用するユーザが、情報端末装置２００の表示デバイスに対象画像を表示させ、情報端末装置２００の操作デバイスを操作することにより、対象画像の輝度，明度，彩度などの画質に係るパラメータを好みの状態に調整した表示画像７２０を形成してもよい。なお、表示画像７２０は、用紙などの媒体に印刷された画像でもよい。
【００９７】
そして、例えば、図７に例示する表示画像７２０のスキャンデータが得られている場合に、画像処理装置１００の画像処理部４０は、対象画像の画像データ７１０に対して、表示画像７２０内における画質を実現する補正処理を実行することにより、例えば図７に例示する画像処理結果７３０を得るようにしてもよい。図７に例示する具体例のように、画像データ７１０から、表示画像７２０が示す画質を実現した画像処理結果７３０が得られてもよい。
【００９８】
図８は、フィニッシング処理を含む画像処理の具体例を示す図である。画像処理装置１００は、対象画像に関する目的の画像状態を示した表示画像のスキャンデータを取得し、そのスキャンデータを解析して表示画像が示す画像処理の指示情報を得ることにより、対象画像の画像データに対して、その指示情報によって指定された画像処理を実行してもよい。
【００９９】
図８には、画像処理の対象となる対象画像の画像データ８１０の具体例が図示されている。図８には、ページ１からページ４の複数ページで構成された対象画像の画像データ８１０が例示されている。また、図８には、画像処理の指示情報として、１つ以上のフィニッシング処理に対応したマーカを含んだ表示画像８２１，８２２，８２３の具体例が例示されている。
【０１００】
表示画像８２１は、フィニッシング処理の一例であるステープルのマーカＭ１を含んでいる。また、表示画像８２１は、ページ１からページ４で構成される対象画像内のページ１とページ２（ページ範囲１から２）の２枚のページを示している。
【０１０１】
例えば、図８に例示する表示画像８２１のスキャンデータが得られている場合に、画像処理装置１００の画像処理部４０は、画像データ８１０からページ１とページ２に対応したデータを抽出し、ページ１とページ２に対応した画像を形成する画像処理を実行する。また、画像処理装置１００の解析処理部３０は、表示画像８２１のスキャンデータを解析することにより、マーカＭ１に対応したフィニッシング処理であるステープル処理を特定する。そして、画像処理装置１００（例えば画像処理部４０または画像出力部４２）は、表示画像８２１が示すマーカＭ１に対応したステープル処理を実行する。
【０１０２】
これにより、図８に例示するように、画像データ８１０と表示画像８２１から、例えばページ１の画像とページ２の画像を別々のページに示した２枚の処理結果をステープルで束ねた画像処理結果８３１が得られてもよい。
【０１０３】
また、表示画像８２２は、フィニッシング処理の一例である穴あけのマーカＭ２を含んでいる。さらに、表示画像８２２は、ページ１からページ４で構成される対象画像内のページ２を示している。
【０１０４】
例えば、図８に例示する表示画像８２２のスキャンデータが得られている場合に、画像処理部４０は、画像データ８１０からページ２に対応したデータを抽出してページ２に対応した画像を形成する画像処理を実行する。また、解析処理部３０は、表示画像８２２のスキャンデータを解析することにより、マーカＭ２に対応したフィニッシング処理である穴あけ処理を特定する。そして、例えば画像処理部４０または画像出力部４２は、表示画像８２２が示すマーカＭ２に対応した穴あけ処理を実行する。
【０１０５】
これにより、図８に例示するように、画像データ８１０と表示画像８２２から、ページ２の画像を示したページ内で、例えば表示画像８２２内のマーカＭ２に対応した位置に穴あけ処理が施された画像処理結果８３２が得られてもよい。
【０１０６】
また、表示画像８２３は、フィニッシング処理の一例である折り目付けのマーカＭ３を含んでいる。さらに、表示画像８２３は、ページ１からページ４で構成される対象画像内のページ３とページ４（ページ範囲３から４）の２枚のページを示している。
【０１０７】
例えば、図８に例示する表示画像８２３のスキャンデータが得られている場合に、画像処理部４０は、画像データ８１０からページ３とページ４に対応したデータを抽出し、ページ３とページ４に対応した画像を形成する画像処理を実行する。また、解析処理部３０は、表示画像８２３のスキャンデータを解析することにより、マーカＭ３に対応したフィニッシング処理である折り目付け処理を特定する。そして、例えば画像処理部４０または画像出力部４２は、表示画像８２３が示すマーカＭ３に対応した折り目付け処理を実行する。
【０１０８】
これにより、図８に例示するように、画像データ８１０と表示画像８２３から、例えばページ３の画像とページ４の画像を示した１枚のページ内で、ページ３の画像とページ４の画像の間に折り目付け処理が施された画像処理結果８３３が得られてもよい。
【０１０９】
なお、図８では、フィニッシング処理の一例として、ステープルと穴あけと折り目付けを例示したが、これらの例示以外のフィニッシング処理（例えば製本やオフセット排出など）に対応したマーカを利用して、そのマーカに応じたフィニッシング処理が実行されてもよい。
【０１１０】
図９は、ウォーターマークを付加する画像処理の具体例を示す図である。画像処理装置１００は、指示情報としてウォーターマークを指定する情報を含んだ表示画像のスキャンデータを取得して、そのスキャンデータを解析することにより、対象画像の画像データに対して、指示情報によって指定されたウォーターマークを付加する画像処理を実行してもよい。
【０１１１】
図９には、画像処理の対象となる対象画像の画像データ９１０の具体例が図示されている。また、図９には、画像処理の指示情報として、ウォーターマークを指定する情報を含んだ表示画像９２１，９２２の具体例が例示されている。
【０１１２】
表示画像９２１は、ウォーターマークとして「複写禁止」の文字を画像データ９１０の前面に付加する指示情報を含んでいる。なお、表示画像９２１内に対象画像（画像データ９１０の画像）が表示されてもよい。
【０１１３】
例えば図９に例示する表示画像９２１のスキャンデータが得られている場合に、画像処理装置１００の画像処理部４０は、画像データ９１０から形成される対象画像の前面に、ウォーターマークとして「複写禁止」の文字を付加する画像処理を実行する。これにより例えば図９に例示する画像処理結果９３１が得られてもよい。
【０１１４】
また、表示画像９２２は、ウォーターマークとして「複写禁止」の文字を画像データ９１０の背面に付加する指示情報を含んでいる。なお、表示画像９２２内に対象画像（画像データ９１０の画像）が表示されてもよい。
【０１１５】
例えば図９に例示する表示画像９２２のスキャンデータが得られている場合に、画像処理部４０は、画像データ９１０から形成される対象画像の背面に、ウォーターマークとして「複写禁止」の文字を付加する画像処理を実行する。これにより例えば図９に例示する画像処理結果９３２が得られてもよい。
【０１１６】
以上、本発明の具体的な実施態様の一例を説明したが、上述した具体例はあらゆる点で単なる例示にすぎず、本発明の範囲を限定するものではない。本発明は、その本質を逸脱しない範囲で各種の変形形態を包含する。
【符号の説明】
【０１１７】
１０  画像データ取得部、２０  スキャン処理部、３０  解析処理部、４０  画像処理部、１００  画像処理装置、２００  情報端末装置。
【図１】
2020145632.tif 000003
【図２】
2020145632.tif 000004
【図３】
2020145632.tif 000005
【図４】
2020145632.tif 000006
【図５】
2020145632.tif 000007
【図６】
2020145632.tif 000008
【図７】
2020145632.tif 000009
【図８】
2020145632.tif 000010
【図９】
2020145632.tif 000011